(57)【要約】【課題】本発明は複数のプラスチックレンズをホルダで一体化したレンズユニットにおいて、組み立ての伴う光学特性の劣化を抑制することを目的とするものである。【解決手段】複数のプラスチックレンズ４，５をホルダ７で一体化したレンズユニットにおいて、特にプラスチックレンズ４が配置されるホルダ７ａとプラスチックレンズ５が配置されるホルダ７ｂとを別々に形成し、一方のホルダ７ａを他方のホルダ７ｂに当接させ、ホルダ７ａ，７ｂの一方を光軸６を回転軸として回転させ組レンズ特性を調節し，その後に両ホルダ７ａ，７ｂを接続固定するものとした。【選択図】図１
2005352099.tif 000002
【特許請求の範囲】
【請求項１】
貫通孔を有するホルダと、前記貫通孔内に所定の間隔をもって整列配置された第１、第２のプラスチックレンズとを備えたレンズユニットにおいて、前記ホルダを前記第１のプラスチックレンズを有する第１のホルダと前記第２のプラスチックレンズを有する第２のホルダから形成するとともに、前記第１のホルダを前記第２のホルダに当接させ、前記第１のホルダ或いは前記第２のホルダの一方を前記光軸方向を回転軸として回転させ、前記第１のプラスチックレンズと第２のプラスチックレンズを組み合わせた組レンズ特性を調節し、その後に前記第１のホルダと前記第２のホルダとを接続固定することを特徴としたレンズユニットの製造方法。
【請求項２】
第１のホルダと第２のホルダの当接面を光軸を起点とする円錐面で形成し、前記第１のホルダと前記第２のホルダを当接させることで前記第１のプラスチックレンズと第２のプラスチックレンズの光軸合わせを行なうことを特徴とする請求項１に記載のレンズユニットの製造方法。
【発明の詳細な説明】
【技術分野】
【０００１】
本発明は、複数のプラスチックレンズをホルダで一体化したレンズユニットの製造方法に関する。
【背景技術】
【０００２】
近年、カメラ付き携帯電話のように本機能に対して付加的に取り付けられる固体撮像装置に対して、１００万画素から２００万画素というようにその高画質化や、軽量化の要望が高まってきている。
【０００３】
そして、このような固体撮像素子においてその高画質化を果たすためには、画像の取り込み部分となる光学系を構成するレンズユニットを、図４に示すように筒状のホルダ１内に複数のレンズ２を組み込むことでその光学特性の向上を図るとともに、レンズ素材をプラスチックとすることでその軽量化が図られていた。
【０００４】
なお、この出願の発明に関連する先行技術文献情報としては、例えば、特許文献１が知られている。
【特許文献１】特開２００２−２８６９８７号公報
【発明の開示】
【発明が解決しようとする課題】
【０００５】
しかしながら、軽量化に対応するために用いられるプラスチック製のレンズ２は、射出成形に伴う複屈折（以下、配向複屈折と称す）を有するため、複数のレンズ２において図５に示すように各レンズ２の配向複屈折３ａ，３ｂを組み合わせることにより相殺するよう、予め配向複屈折３ａ，３ｂの組み合わせ方向を設定した状態でホルダ１に組み込む手法が特開２００３−２１７７１号公報などで提案されているのであるが、このプラスチック製のレンズ２をホルダ１に組み込むにおいて各レンズ２に新たな応力、例えば接着固定で有れば接着剤の効果収縮に伴う応力、また嵌め込み固定であればホルダによる締め付け応力といったものが加わり、この応力に基づいて新たな複屈折（以下、応力複屈折と称す）が生じてしまうため、所望の光学特性を得ることが困難なものとなっていた。
【０００６】
そこで、本発明はこのような問題を解決し、複数のプラスチックレンズをホルダで一体化したレンズユニットにおいて、組み立ての伴う光学特性の劣化を抑制することを目的とする。
【課題を解決するための手段】
【０００７】
上記目的を達成するために、本発明は、複数のプラスチックレンズをホルダで一体化したレンズユニットにおいて、特に第１のプラスチックレンズが配置されるホルダと第２のプラスチックレンズが配置されるホルダとを別々に形成し、一方のホルダを他方のホルダに当接させ、次いでホルダの一方を光軸を回転軸として回転させ組レンズ特性を調節し、その後に両ホルダを接続固定することによりレンズユニットを製造するものとしたのである。
【発明の効果】
【０００８】
このレンズユニットの製造方法により本発明は、各プラスチックレンズにおける配向複屈折と応力複屈折とが統合された状態で、双方のプラスチックレンズにおける複屈折を調節することができるので、複数のプラスチックレンズをホルダで一体化したレンズユニットにおいて、組み立ての伴う光学特性の劣化を抑制することが出来るのである。
【発明を実施するための最良の形態】
【０００９】
以下、本発明の一実施形態について図を用いて説明する。
【００１０】
図１は２枚のプラスチックレンズ４，５を筒状のホルダ７内に配置したレンズユニットの断面図であり、この２枚のプラスチックレンズ４，５を光軸６の方向に対峙するように配置することで、それらの組み合わせにより所定の光学特性を得る構成となっている。
【００１１】
また、このレンズユニットにおいては図２に示されるように、ホルダ７が２分割されており、分割されたそれぞれのホルダ７ａ（７ｂ）にはプラスチックレンズ４（５）が配置された構成となっている。
【００１２】
この構成によれば、分割されたホルダ７ａ（７ｂ）毎にレンズ４（５）を配置し、その後に分割された２つのホルダ７ａ（７ｂ）を一体化することが可能となるため、一体化されたレンズユニットにおける製造段階での光学特性の劣化を抑制できるのである。
【００１３】
すなわち、レンズユニットの軽量化を目的として用いられるプラスチックレンズ４，５は、先にも述べたように射出成形に伴う配向複屈折と、ホルダに固定する際に生じる応力複屈折を有するものであり、前者の配向複屈折は射出成形においてその方向が決まるものであるから、２枚のプラスチックレンズ４，５を組み合わせる際に、図５に示されるように予め双方複屈折力が互いにその力を相殺するように組み合わせ角度を決めるのであるが、その予め決めた組み合わせ角度を持ってレンズ２をホルダ１に組み込む際に後者である応力複屈折が新たに生じるため本来予定していた初期の光学特性を製造段階で劣化させてしまっていた。
【００１４】
しかし、この図２に示すレンズユニットのようにホルダ７を分割し、分割したホルダ７ａ（７ｂ）毎にプラスチックレンズ４（５）を組み込み、このプラスチックレンズ４，５を組み込んだホルダ７ａ，７ｂを組み合わせる構造としたことで、各ホルダ７ａ，７ｂに組み込まれたレンズには配向複屈折と応力複屈折の統合した複屈折（以下、統合複屈折と称す）が生じた状態となり、この統合複屈折が生じた状態で２つのホルダ７ａ，７ｂを組み合わせるので、この組み合わせの際に一方のホルダ７ａ（或いは７ｂ）を光軸６を中心軸として回転させることで２つのプラスチックレンズ４，５の組み合わせ角度が変化し、２つのプラスチックレンズ４，５の統合複屈折方向の組み合わせが調節されることとなり、結果的に２つのプラスチックレンズ４，５の組み合わせによる光学特性を最適化した後にホルダ７ａ，７ｂを接着剤などにより接続固定し一体化するので、レンズユニットの組み立ての伴う光学特性の劣化を抑制することが出来るのである。
【００１５】
また、２つのホルダ７ａ，７ｂの当接面８を光軸６を起点とする円錐面とすることで、２つのホルダ７ａ，７ｂを当接させた時点で双方のプラスチックレンズ４，５の光軸６が一致するので光軸合わせという緻密な作業を施さなくて済み、レンズユニットの生産性を向上させることが出来るのである。
【００１６】
このことは、通常このような２つのホルダ７ａ，７ｂを回転可能に組み合わせる場合、図３に示すようにホルダ７ａ，７ｂの当接面８を段差面とし、一方のホルダ７ａの内周面に他方のホルダ７ｂの外周面と当接する構造が考えられるのであるが、この構造においては一方のホルダ７ａに他方のホルダ７ｂを挿入するため、段差面に多少のオフセットが必要となり、このオフセットが光軸ズレの要因となるのであるが、先に述べたよう当接面８を光軸６を起点とする円錐面とすることで、当接させるためのオフセットをなくせるので光軸合わせを省略できるのである。
【００１７】
なお、この一実施形態においてはレンズユニットをホルダ７を７ａ，７ｂに２分割した構造を例に挙げて説明したが、さらに多数のプラスチックレンズを組み合わせる際にはその数に応じてホルダの分割数を増やすことで対応することが出来るものである。
【００１８】
また、分割された１つのホルダ内に複数のレンズを設ける場合、プラスチックレンズを１枚とし他を取り付け応力の影響を受けにくいガラスレンズで構成することが望ましい。
【産業上の利用可能性】
【００１９】
以上のように本発明のレンズユニットの製造方法は、組み立て時の光学特性の劣化を抑制するという効果を有し、小型高性能なコンパクトデジタルカメラやモバイルカメラ等に代表される各種電子機器の撮像素子の用途として有用である。
【図面の簡単な説明】
【００２０】
【図１】本発明の一実施形態におけるレンズユニットを示す断面図
【図２】同レンズユニットの分解断面図
【図３】比較例を示す図
【図４】従来のレンズユニットを示す断面図
【図５】従来のレンズユニットにおける調整方法を示す図
【符号の説明】
【００２１】
４  第１のレンズ
５  第２のレンズ
６  光軸
７  ホルダ
７ａ  第１のホルダ
７ｂ  第２のホルダ
８  当接面
【図１】
2005352099.tif 000003
【図２】
2005352099.tif 000004
【図３】
2005352099.tif 000005
【図４】
2005352099.tif 000006
【図５】
2005352099.tif 000007